(57)【要約】【課題】複数のヘッドを搭載した場合でも、装置の薄型化、小型化の要求に応えることが可能なスピンドルモータを提供する。【解決手段】スピンドルモータ２０では、ステータコア８が、放射状に形成されてステータコイル９が巻回されており一部の不等角度ピッチ部を除いて均等な角度で配置された複数の突極部５１と、突極部５１の外周側に連続するように形成された環状の外周ヨーク５２と、突極部５１の不等角度ピッチ部分において外周ヨーク５２の一部が略扇形形状に切り欠かれて形成される切り欠き部５５と、切り欠き部５５において等角度ピッチ部分の突極部５１が形成された内周側の端部に沿って設けられた補極板１１と、を含むように構成されている。【選択図】図６
2007124733.tif 000002
【特許請求の範囲】
【請求項１】
軸と、
ステータコイルが巻回されており、一部の不等角度ピッチ部を除いて等角度ピッチで配置されている複数の突極部と、
前記複数の突極部の端部と実質的に連続するように形成されており、前記不等角度ピッチ部における前記突極部間をつなぐ部分が前記軸を中心とする周方向または前記軸方向において少なくとも一部が切り欠かれている環状基部と、
前記不等角度ピッチ部において前記突極部の端部近傍に沿って配置されており、磁性体を含む補極板と、
を備えているスピンドルモータ。
【請求項２】
前記補極板は、前記環状基部に対して連続するように形成されている、
請求項１に記載のスピンドルモータ。
【請求項３】
前記突極部および前記環状基部が載置されるベース部をさらに備えており、
前記補極板は、前記ベース部に対して連続するように形成されている、
請求項１に記載のスピンドルモータ。
【請求項４】
前記突極部および前記環状基部が載置されるベース部をさらに備えており、
前記補極板は、前記ベース部に対して固定されている、
請求項１に記載のスピンドルモータ。
【請求項５】
前記突極部および前記環状基部の上部を覆うように取り付けられている磁気シールド板をさらに備えており、
前記補極板は、前記磁気シールド板に対して連続するように形成されている、
請求項１に記載のスピンドルモータ。
【請求項６】
前記補極板は、他の磁性体材料から独立して形成されている、
請求項１に記載のスピンドルモータ。
【請求項７】
前記切り欠き部が形成された前記環状基部と前記突極部とを含む第１層と、
略円形に連続する前記環状基部と、一部に前記切り欠き部が形成された前記突極部とを含む第２層と、
略円形に連続する前記環状基部と、前記第１層および前記第２層にそれぞれ含まれる前記切り欠き部の位置に対応するように配置される前記補極板とを含む第３層と、
を積層して、前記突極部と前記環状基部と前記補極板とが形成されている、
請求項１または２に記載のスピンドルモータ。
【請求項８】
前記切り欠き部が形成された前記環状基部と前記突極部とを含む第１層と、
略円形に連続する前記環状基部と、前記第１層に含まれる前記切り欠き部の位置に対応するように配置される前記補極板とを含む第２層と、
を積層して、前記突極部と前記環状基部と前記補極板とを形成している、
請求項１または２に記載のスピンドルモータ。
【請求項９】
前記補極板は、平面視において前記回転軸を中心とする円弧状に形成されている、
請求項１から８のいずれか１項に記載のスピンドルモータ。
【請求項１０】
前記不等角度ピッチ部に配置されており、前記軸を中心とする前記補極板の角度θは、下記の関係式（１）によって設定される、
請求項１から９のいずれか１項に記載のスピンドルモータ。
θ＝３６０／Ｎｍ×２  ・・・・・（１）
ただし、マグネットの着磁数Ｎｍ＝４＋２ｎ（ｎ＝１，３，５・・・）
ステータの突極数Ｎｐ＝（Ｎｍ−２）×３／４
ステータ突極ピッチθ１＝（３６０−θ）／Ｎｐ
とする。
【請求項１１】
前記マグネットを１４極、前記突極部を９本含むスピンドルモータにおいて、
前記補極板の角度θが、４９度〜５３度に設定されている、
請求項１０に記載のスピンドルモータ。
【請求項１２】
前記不等角度ピッチ部に配置されており、前記軸を中心とする前記補極板の角度θは、下記の関係式（２）によって設定される、
請求項１から９のいずれか１項に記載のスピンドルモータ。
θ＝３６０／Ｎｍ×２  ・・・・・（２）
ただし、マグネットの着磁数Ｎｍ＝４＋２ｎ（ｎ＝０，１，２、３・・・）
ステータの突極数Ｎｐ＝（Ｎｍ−２）×３／２
ステータ突極ピッチθ１＝（３６０−θ）／Ｎｐ
とする。
【発明の詳細な説明】
【技術分野】
【０００１】
本発明は、ハードディスク装置、光磁気ディスク装置、光ディスク装置、フロッピー（登録商標）ディスク等に搭載されるスピンドルモータに関する。
【背景技術】
【０００２】
近年、ハードディスク装置、光磁気ディスク装置、光ディスク装置、フロッピーディスク装置などを搭載する機器の小型軽量化に伴って、これらの装置の小型化、薄型化、大容量化、コストダウン等の要求が高まってきている。
例えば、特許文献１には、ディスクを駆動するスピンドルモータの固定子の外周を鉄心で囲み、固定子の外径の回転子中心からの距離を角度によって異ならせ、一方向の外径はディスク記録部の最内周の径よりも小さくした構成のディスク装置が開示されている。
【０００３】
これにより、この一方向の固定子に隣接してヘッド駆動アクチュエータを配置することができるため、従来よりもヘッド駆動アクチュエータをディスクの中心寄りに配置してディスク駆動装置の薄型化・小型化を実現している。
【特許文献１】特開平５−１８９９３２号公報（平成５年７月３０日公開）
【特許文献２】特開平９−１６３６８１号公報（平成９年６月２０日公開）
【特許文献３】特開２００１−７６４１７号公報（平成１３年３月２３日公開）
【発明の開示】
【発明が解決しようとする課題】
【０００４】
しかしながら、上記従来のディスク装置では、以下に示すような問題点を有している。
すなわち、上記公報に開示されたスピンドルモータでは、例えば、複数のヘッドを搭載している場合には、高さ方向において複数のヘッドが稼動するスペースを確保する必要があり、装置の薄型化・小型化の要求を十分に満足させることができない。
本発明の課題は、例えば、複数のヘッドを搭載したＨＤＤ等に搭載される場合でも、装置の薄型化、小型化の要求に応えることが可能なスピンドルモータを提供することにある。
【課題を解決するための手段】
【０００５】
第１の発明に係るスピンドルモータは、複数の突極部と、環状基部と、切り欠き部と、補極板と、を備えている。複数の突極部は、ステータコイルが巻回されており、一部の不等角度ピッチ部を除いて等角度ピッチで配置されている。環状基部は、複数の突極部の端部と実質的に連続するように形成されており、不等角度ピッチ部における突極部間をつなぐ部分が軸を中心とする周方向または軸方向において少なくとも一部が切り欠かれている。補極板は、不等角度ピッチ部において突極部の端部近傍に沿って配置されており、磁性体を含んでいる。
【０００６】
ここでは、回転軸を中心として配置される環状基部と、環状基部の内周側あるいは外周側において実質的につながっている複数の突極部とを備えたスピンドルモータにおいて、上記複数の突極部のうち不等角度ピッチ部の両端に配置された突極部間をつなぐ環状基部の部分に周方向あるいは軸方向において少なくとも一部を切り欠いた切り欠きを形成している。そして、この切り欠きの部分における突極部の内周側あるいは外周側の端部付近に沿って磁性体を含む補極板を設けている。
【０００７】
なお、複数の突極部と環状基部とが、環状基部の内周側あるいは外周側の端部において実質的につながっているとは、突極部と環状基部とが一体として形成されたコア、突極部と環状基部とが別々に形成された後で互いに嵌合させる分割コアの双方を含むことを意味している。
通常、このように一部に切り欠きを設けたことでステータ（環状基部および突極部）が非対称になっている場合には、回転トルクのアンバランスが生じて円滑な回転ができなくなるおそれがある。
【０００８】
本発明のスピンドルモータでは、突極部を不均等に配置した部分（不等角度ピッチ部）を設け、その部分に対応する環状基部に切り欠きを形成したことで非対称となった部分に、磁性体を含む補極板を設けている。
これにより、切り欠き部を設けたことによるトルクのアンバランスを解消して円滑にディスクを回転させることができる。
【０００９】
そして、この補極板は、隣接する突極部の内周側あるいは外周側の端部近傍に沿う位置に配置されているため、補極板の外周側あるいは内周側には突極部も環状基部も存在しないことになる。
これにより、特に、上下方向における切り欠き部のスペースを大きく確保することができる。このため、この切り欠き部のスペースにおいて記録媒体の情報を読み取るヘッドを低い位置に配置することで、例えば、従来の０．８５インチのディスクを搭載した１ヘッドのＨＤＤの厚さが約３．３ｍｍであったとすると、２ヘッドにした場合でも従来の５．０ｍｍ厚にすることなく、３．３ｍｍ厚のままでＨＤＤを構成することができる。この結果、複数のヘッドを搭載したスピンドルモータであっても、装置の薄型化、小型化が可能になる。
【００１０】
第２の発明に係るスピンドルモータは、第１の発明に係るスピンドルモータであって、補極板は、環状基部に対して連続するように形成されている。
ここでは、環状基部に対して連続するように、換言すれば環状基部につながるように補極板を形成している。
これにより、補極板を別部材として形成する場合と比較して、補極板を環状基部とともに一体成形することができるため、生産効率を向上させてコストダウンが図れる。
【００１１】
第３の発明に係るスピンドルモータは、第１の発明に係るスピンドルモータであって、突極部および環状基部が載置されるベース部をさらに備えており、補極板は、ベース部に対して連続するように形成されている。
ここでは、突極部および環状基部が載置されるベース部に対して連続するように、換言すればベース部につながるように、補極板を形成している。
【００１２】
これにより、例えば、ベース板が鉄系の金属材料の場合には、ベース板の一部を切り起こす等してベース板と同じ材料を用いて補極板を形成することができるため、ベース板とは別部材として補極板を形成する場合と比較してコストダウンが図れる。
また、補極板が突極部とは別に形成されているため、突極部に対してステータコイルを巻回する際に補極板が巻線ノズルの動きを規制することはない。これにより、ステータコイルの巻線時における作業性を向上させて効率よくスピンドルモータの製造を行うことができる。
【００１３】
第４の発明に係るスピンドルモータは、第１の発明に係るスピンドルモータであって、突極部および環状基部が載置されるベース部をさらに備えており、補極板は、ベース部に対して固定されている。
ここでは、突極部および環状基部が載置されるベース部に対して補極板が固定されている。
【００１４】
これにより、ベースとは別部品として補極板を形成した後でベース板に固定することで、ベース板が、例えば、アルミ系金属材料等の非磁性体である場合でも、磁性体を含む補極板を形成することができる。
また、補極板が突極部とは別に形成されているため、突極部に対してステータコイルを巻回する際に補極板が巻線ノズルの動きを規制することはない。これにより、ステータコイルの巻線時における作業性を向上させて効率よくスピンドルモータの製造を行うことができる。
【００１５】
第５の発明に係るスピンドルモータは、第１の発明に係るスピンドルモータであって、突極部および環状基部の上部を覆うように取り付けられている磁気シールド板をさらに備えており、補極板は、磁気シールド板に対して連続するように形成されている。
ここでは、突極部および環状基部の上部に配置された磁気シールド板に対して連続するように、換言すれば磁気シールド板につながるように、補極板を形成している。
【００１６】
これにより、例えば、磁気シールド板の一部を切り起こす等して磁気シールド板と同じ材料を用いて補極板を形成することができるため、磁気シールド板とは別部材として補極板を形成する場合と比較して、コストダウンが図れる。
また、補極板が突極部とは別に形成されているため、突極部に対してステータコイルを巻回する際に補極板が巻線ノズルの動きを規制することはない。これにより、ステータコイルの巻線時における作業性を向上させて効率よくスピンドルモータの製造を行うことができる。
【００１７】
第６の発明に係るスピンドルモータは、第１の発明に係るスピンドルモータであって、補極板は、他の磁性体材料から独立して形成されている。
ここでは、磁性体を含む補極板を、例えば、モールドモータ構造を採用することにより、他の磁性体から独立して形成している。
これにより、スピンドルモータに含まれるモータ磁気回路の影響を受けることなく、補極板に含まれる磁性体を機能させることができる。さらに、ステータコイルの巻回を補極板がない状態で行うとともに、例えば、補極板をステータモールドと同時に成形することで補極板の相対的な位置を確定できるため、作業性を向上させるとともに、安定した特性のスピンドルモータを得ることができる。
【００１８】
第７の発明に係るスピンドルモータは、第１または第２の発明に係るスピンドルモータであって、第１層〜第３層までの３つの層を積層して、突極部、環状基部および補極板を形成している。第１層は、切り欠き部が形成された環状基部と突極部とを含んでいる。第２層は、略円形に連続する環状基部と、一部に切り欠き部が形成された突極部とを含んでいる。第３層は、略円形に連続する環状基部と、第１層および第２層にそれぞれ含まれる切り欠き部の位置に対応するように配置される補極板とを含んでいる。
【００１９】
ここでは、突極部、環状基部および補極板を、環状基部および突極部がともに一部切り欠かれた第１層と、環状基部は全周残っており一部の突極部が切り欠かれた第２層と、環状基部の全周と補極板とを含む第３層とを組み合わせて形成している。
このように、複数の突極部の一部が切り欠かれていながら全周が残っている環状基部を含む第２層を含むように構成することで、突極部および環状基部の一部に切り欠き部が形成されている場合でも、環状基部の強度を十分に確保することができる。よって、ステータコイルの巻回時等において切り欠き部が形成された影響によって突極部のピッチが変化してしまうことを回避して安価で安定したスピンドルモータを提供することができる。
【００２０】
さらに、突極部を含む層と補極板を含む層とを別々に形成することにより、突極部に対してステータコイルを巻回した後で積層すればステータコイルの巻回時に補極板が邪魔になることはない。よって、生産時の作業性を向上させて効率よく生産可能なスピンドルモータを得ることができる。
第８の発明に係るスピンドルモータは、第１または第２の発明に係るスピンドルモータであって、第１層と第２層という２つの層を積層して、突極部と環状基部と補極板とを形成している。第１層は、切り欠き部が形成された環状基部と突極部とを含んでいる。第２層は、略円形に連続する環状基部と、第１層に含まれる切り欠き部の位置に対応するように配置される補極板とを含んでいる。
【００２１】
ここでは、環状基部と突極部とを含むコアの部分を、突極部と環状基部とに切り欠きが形成された第１層と、環状基部と補極板とを含む第２層とに分けて形成している。
これにより、２つの成形用金型を用いてコアの部分を形成することができる。
さらに、突極部を含む層と補極板を含む層とを別々に形成することにより、突極部に対してステータコイルを巻回した後で積層すればステータコイルの巻回時に補極板が邪魔になることはない。よって、生産時の作業性を向上させて効率よく生産可能なスピンドルモータを得ることができる。
【００２２】
第９の発明に係るスピンドルモータは、第１から第８の発明のいずれか１つに係るスピンドルモータであって、補極板は、平面視において回転軸を中心とする円弧状に形成されている。
ここでは、複数の突極部の内周側の端部近傍に沿って配置された補極板が、回転軸を中心とする円弧状に形成されている。
【００２３】
これにより、切り欠きが形成された部分、つまり補極板の両側に隣接する突極部同士の間から磁束が漏れて発生トルクが乱れることを効果的に防止することができる。また、補極板を円弧状とすることで、回転軸を中心とする半径方向に均等な磁束を付与することができるため、ディスク状の記録媒体を円滑に回転させることができる。
第１０の発明に係るスピンドルモータは、第１から第９の発明のいずれか１つに係るスピンドルモータであって、不等角度ピッチ部に配置されており、軸を中心とする補極板の角度θは、下記の関係式（１）によって設定される。
【００２４】
θ＝３６０／Ｎｍ×２  ・・・・・（１）
ただし、マグネットの着磁数Ｎｍ＝４＋２ｎ（ｎ＝１，３，５・・・）
ステータの突極数Ｎｐ＝（Ｎｍ−２）×３／４
ステータ突極ピッチθ１＝（３６０−θ）／Ｎｐ
とする。
【００２５】
ここでは、マグネットが４極、突極部が３ポールの構成を基本構成とし、６極以上のマグネットの着磁数を有するスピンドルモータにおいて、マグネットの着磁数に応じて上記関係式の条件を満たすように、切り欠き部の切り欠き角度を設定している。
これにより、例えば、ＨＤＤに搭載された複数のヘッドの可動領域を十分に確保しつつ、切り欠き部のスペースを広すぎない程度で設定することができる。
【００２６】
第１１の発明に係るスピンドルモータは、第１０の発明に係るスピンドルモータであって、マグネットを１４極、突極部を９本含むスピンドルモータにおいて、補極板の角度θが、４９度〜５３度に設定されている。
ここでは、１４極９ポールで構成されたスピンドルモータにおいて、補極板の形成角度を上記範囲に設定している。
【００２７】
これにより、非対称な形状のステータコアを有するスピンドルモータにおいて、トルクの変動を最小限に抑えたスピンドルモータを得ることができる。
第１２の発明に係るスピンドルモータは、第１から第９の発明のいずれか１つに係るスピンドルモータであって、不等角度ピッチ部に配置されており、軸を中心とする補極板の角度θは、下記の関係式（２）によって設定される。
【００２８】
θ＝３６０／Ｎｍ×２  ・・・・・（２）
ただし、マグネットの着磁数Ｎｍ＝４＋２ｎ（ｎ＝０，１，２，３・・・）
ステータの突極数Ｎｐ＝（Ｎｍ−２）×３／２
ステータ突極ピッチθ１＝（３６０−θ）／Ｎｐ
とする。
【００２９】
ここでは、マグネットが２極、突極部が３ポールの構成を基本構成とし、４極以上のマグネットの着磁数を有するスピンドルモータにおいて、マグネットの着磁数に応じて上記関係式の条件を満たすように、切り欠き部の切り欠き角度を設定している。
これにより、例えば、ＨＤＤに搭載された複数のヘッドの可動領域を十分に確保しつつ、切り欠き部のスペースを広すぎない程度で設定することができる。
【発明の効果】
【００３０】
第１の発明に係るスピンドルモータによれば、複数のヘッドを搭載したスピンドルモータであっても、装置の薄型化、小型化が可能になる。
第２の発明に係るスピンドルモータによれば、生産効率を向上させてコストダウンが図れる。
第３の発明に係るスピンドルモータによれば、ベース板とは別部材として補極板を形成する場合と比較してコストダウンが図れる。
【００３１】
第４の発明に係るスピンドルモータによれば、ベース板が、例えば、アルミ系金属材料等の非磁性体である場合でも、磁性体を含む補極板を形成することができる。
第５の発明に係るスピンドルモータによれば、磁気シールド板とは別部材として補極板を形成する場合と比較して、コストダウンが図れる。
第６の発明に係るスピンドルモータによれば、スピンドルモータに含まれるモータ磁気回路の影響を受けることなく、補極板に含まれる磁性体を機能させることができる。
【００３２】
第７の発明に係るスピンドルモータによれば、ステータコイルの巻回時等において切り欠き部が形成された影響によって突極部のピッチが変化してしまうことを回避して安価で安定したスピンドルモータを提供することができる。
第８の発明に係るスピンドルモータによれば、２つの成形用金型を用いてコアの部分を形成することができる。
【００３３】
第９の発明に係るスピンドルモータによれば、切り欠きが形成された部分から磁束が漏れることを効果的に防止することができるとともに、回転軸を中心とする半径方向に均等な磁束を付与してディスク状の記録媒体を円滑に回転させることができる。
第１０の発明に係るスピンドルモータによれば、例えば、ＨＤＤに搭載された複数のヘッドの可動領域を十分に確保しつつ、切り欠き部のスペースを広すぎない程度で設定することができる。
【００３４】
第１１の発明に係るスピンドルモータによれば、トルクの変動を最小限に抑えたスピンドルモータを得ることができる。
第１２の発明に係るスピンドルモータによれば、例えば、ＨＤＤに搭載された複数のヘッドの可動領域を十分に確保しつつ、切り欠き部のスペースを広すぎない程度で設定することができる。
【発明を実施するための最良の形態】
【００３５】
本発明の一実施形態に係るスピンドルモータ２０が搭載されたハードディスク装置（以下、ＨＤＤと示す。）４０について、図１〜図８を用いて説明すれば以下の通りである。
［ＨＤＤ４０全体の構成］
本実施形態に係るＨＤＤ４０は、図１に示すように、内部に、複数の記録再生ヘッド１２ａ，１２ｂを含むヘッド部１２と、スピンドルモータ２０とを搭載している。そして、ヘッド部１２に含まれるそれぞれの記録再生ヘッド１２ａ，１２ｂによってディスク（記録媒体）１３に対する情報の書き込み、あるいは既に書き込まれた情報の再生を行う。
【００３６】
ヘッド部１２は、２つの記録再生ヘッド１２ａ，１２ｂを搭載しており、ディスク１３の表裏面に近接するように配置される。
ディスク１３は、ＨＤＤ４０に取り付けられる直径が、例えば、０．８５インチの円板状の記録媒体である。
スピンドルモータ２０は、ディスク１３を回転駆動するための回転駆動源となる装置であって、図１に示すように、マグネット（磁石）７、ステータコア８、ステータコイル９、抜け止め板１０、補極板１１、磁気シールド板１４および軸受部３０を備えている。
【００３７】
［スピンドルモータ２０を構成する各部材の説明］
マグネット７は、Ｎｄ−Ｆｅ−Ｂｏ系樹脂マグネットによって構成されており、ハブ６に対して装着されている。
ステータコア８は、後述する各シート２２，２３に形成された突極部５１を有しており、ステータコイル９が巻回される。ステータコア８は、ケイ素鋼板を複数枚積層して構成されている。なお、ステータコア８としては、ケイ素鋼板１枚で構成される薄型のものを用いることもできる。
【００３８】
抜け止め板１０は、軸受部３０に含まれるスリーブ２の外周側に係止されている。
補極板１１は、後述するステータコア８に含まれる切り欠き部（不等角度ピッチ部）５５における突極部５１の内周側の端部に相当する位置に配置されており、切り欠き部５５を形成したことによる磁束のアンバランスを補うために設けられている。なお、この補極板１１の構成については、後段にて詳述する。
【００３９】
磁気シールド板１４は、ステータコア８の上部を覆うように取り付けられており、外部への磁気漏れを防止するための厚さ０．１ｍｍの磁性を有するステンレス鋼材である。
軸受部３０は、スピンドルモータ２０に含まれる流体軸受装置であって、シャフト１、スリーブ２、シールプレート３、スラストフランジ４、ベース（ベース部）５、ハブ６を含むように構成されている。
【００４０】
［軸受部３０を構成する各部材の説明］
シャフト１は、軸受部３０の回転軸となる部材であって、ステンレス鋼によって形成されている。
スリーブ２は、シャフト１およびスラストフランジ４に対して相対回転可能な状態で嵌め込まれている。そして、スラストフランジ４におけるスリーブ２との軸方向における対向面には、動圧を発生させるスラスト動圧発生溝（図示せず）が形成されており、スラストフランジ４とスリーブ２との間にはスラスト動圧発生部が形成される。そして、スリーブ２は、真鍮等の銅合金によって形成されており、表面には無電解ニッケルメッキが施されている。
【００４１】
シールプレート３は、スリーブ２の上部に嵌め込まれるようにして取り付けられており、スラスト動圧発生部に存在する潤滑剤の漏れを防止する。
スラストフランジ４は、シャフト１に対して一体加工、あるいは圧入または接着によって固定されており、ステンレス鋼によって形成されている。
ベース５は、磁性を有するステンレス鋼材によって形成されており、鉄系材料にメッキを施して形成される場合もある。サイズが大きいものは、非磁性材料であるアルミ系合金によって形成されており、スピンドルモータ２０の静止側の部分を構成している。そして、ベース５は、ＨＤＤ４０のハウジング（図示せず）に固定されている。また、ベース５は、その中心部分付近に、軸受部３０のシャフト１の一端が固定されている。
【００４２】
ハブ６は、切削性がよく、対アウトガス性に優れたステンレス鋼によって形成されており、スリーブ２の外周側に嵌合するように固定されてスリーブ２とともに一体となって回転する。また、ハブ６は、外周面に形成されたマグネット保持部においてマグネット７を保持するとともに、同じく外周側に形成されたディスク受け部においてディスク１３を保持する。
【００４３】
［ステータコア８の構成］
本実施形態に係るスピンドルモータ２０では、図２に示すように、補極板シート（第３層）２１、突極部切り欠きシート（第２層）２２、突極部および外周ヨーク切り欠きシート（第１層）２３を積層してステータコア８を形成している。
補極板シート２１は、図３に示すように、外周部分は外周ヨーク（環状基部）５２とほぼ同じ大きさの環状のシートであって、その一部に形成された扇形部分の一部を立ち上げ、積層される他のシート２２，２３に形成された複数の突極部５１の内周側の端部に沿って配置されるように、平面視において円弧状になるように補極板１１を形成している。なお、補極板シート２１は、図２に示す積層状態においては最も下段の層に配置される。
【００４４】
突極部切り欠きシート２２は、図４に示すように、外周部分は外周ヨーク５２とほぼ同じ大きさの環状のシートであって、放射状に形成された複数の突極部５１と環状の外周ヨーク５２とを有している。そして、突極部切り欠きシート２２は、外周ヨーク５２は環状の状態でつながっている一方、突極部５１の一部が切り落とされて切り欠き部（不等角度ピッチ部）５３が形成されている。換言すれば、突極部５１は、不等角度βで配置された不等角度ピッチ部となる切り欠き部５３の部分を除いて、均等な角度αで配置されている。なお、突極部切り欠きシート２２は、図２に示す積層状態において補極板シート２１と突極部および外周ヨーク切り欠きシート２３との間に積層される。
【００４５】
突極部および外周ヨーク切り欠きシート２３は、図５に示すように、外周部分は外周ヨーク５２とほぼ同じ大きさの環状のシートであって、放射状に形成された複数の突極部５１と環状の外周ヨーク５２とを有している。そして、突極部および外周ヨーク切り欠きシート２３は、突極部５１の一部および環状の一部に切り欠き部（不等角度ピッチ部）５４が形成されて略Ｃ型形状となっている。換言すれば、突極部切り欠きシート２２と同様に、突極部５１は、不等角度βで配置された不等角度ピッチ部となる切り欠き部５３の部分を除いて、均等な角度αで配置されている。なお、突極部および外周ヨーク切り欠きシート２３は、図２に示す積層状態においては最も上段の層に配置される。
【００４６】
ここで、上述した各シート２１〜２３を積層して図６に示すステータコア８を構成する手順について説明すれば以下の通りである。
すなわち、まず、突極部切り欠きシート２２、突極部および外周ヨーク切り欠きシート２３をそれぞれの形状に打ち抜いて、中心部分を一致させて同心になるようにして積層する。なお、積層順としては、突極部および外周ヨーク切り欠きシート２３が突極部切り欠きシート２２の上になるように積層する。
【００４７】
続いて、この積層物を絶縁塗装（粉体塗装、スプレー塗装、電着塗装）し、突極部５１の部分にステータコイル９を巻回（巻線）する。つまり、２枚のシート２２，２３に形成された突極部５１の部分が一致するように積層してステータコア８を形成し、このステータコア８に対してステータコイル９の巻線を行う。このとき、外周部分が環状でつながっている突極部切り欠きシート２２を含むように積層物を構成しているため、シート２２，２３の一部に切り欠き部５３，５４が形成されていても積層物の剛性をある程度確保することができる。このため、切り欠き部５３，５４が形成されている場合でも、巻線時にチャッキングしてもステータコア８が変形することを防止できる。さらに、シート２２，２３によって構成される積層物の厚みが小さい場合でも、外周部分が環状でつながっている突極部切り欠きシート２２を介在させることで、同様の効果を得ることができる。
【００４８】
巻線後には、シート２２，２３から構成される積層物に対して、その最下層に補極板シート２１を接着や溶接等で中心位置を併せて同心になるように固定して、図６に示すように、所定の位置に切り欠き部５５が形成されており、その切り欠き部５５の位置に補極板１１が配置されたステータコア８を構成することができる。なお、図６に示す切り欠き部５５は、シート２２，２３に含まれる切り欠き部５３，５４の部分が一致するように積層した結果形成されたものである。
【００４９】
以上のように、補極板シート２１については、ステータコイル９の巻線を行った後で積層することで、図６に示す積層状態においては補極板１１と隣接している突極部５１との隙間（スロット隙間）が突極部５１同士の間隔（スロット間隔）よりも小さくて巻線時における作業の障害になりかねない場合でも、巻線時において補極板１１が邪魔になって作業効率を低下させることはない。一方では、切り欠き部５５の部分から磁束が漏れて発生トルクが乱れてしまうことを、補極板１１と、補極板１１に隣接する突極部５１との隙間（スロット隙間）が小さくなるように近接配置することにより防止することができる。
【００５０】
［ＨＤＤ４０の内部構成］
次に、このステータコア８をスピンドルモータ２０を搭載したＨＤＤ４０に対して組み込んだ場合の構成について、図７および図８を用いて説明すれば以下の通りである。
ＨＤＤ４０の内部における補極板１１が配置された切り欠き部５５に相当する部分では、図７に示すように、ステータコア８の１枚のディスク１３の上下にそれぞれ記録再生ヘッド１２ａ，１２ｂ（ヘッド部１２）が補極板１１に対して近接するように配置されている。補極板１１は、補極板シート２１（図３参照）の一部に、内周側に突出する部分を残してプレス加工し、この部分をＬ字型形状になるように略鉛直に沿って立ち上げて形成さている。
【００５１】
ここで、補極板１１が配置された切り欠き部５５は、上述のように、突極部５１が形成されていない領域であるため、ベース５とディスク１３との間には記録再生ヘッド１２ａ，１２ｂが移動するための空間が形成される。この結果、複数の記録再生ヘッド１２ａ，１２ｂを搭載したＨＤＤ４０であっても、複数の記録再生ヘッド１２ａ，１２ｂ分だけ厚未を大きくする必要はない。よって、複数の記録再生ヘッド１２ａ，１２ｂを搭載したＨＤＤ４０であっても、１つの記録再生ヘッドを搭載したＨＤＤと同程度の厚さに抑えることができる。
【００５２】
また、ＨＤＤ４０の内部における切り欠き部５５に相当する部分以外では、図８に示すように、ステータコア８に対してステータコイル９が巻回されており、ハブ６の外周側において保持されたマグネット７に対向するように配置されている。
本実施形態のＨＤＤ４０では、以上のような構成により、ステータコア８に巻回されたステータコイル９に電圧を付与しながらマグネット７に対して回転駆動力を与えることで、ハブ６の外周部に固定されたディスク１３を、シャフト１を固定側の回転軸として回転させることができる。
【００５３】
［ステータコア８とマグネット７との関係］
ここではまず、一般的なスピンドルモータに含まれるステータコアとマグネットとの関係について、従来のスピンドルモータの構成を示す図１６を用いて説明する。
このスピンドルモータは、ステータコア１０８に対してマグネット１０７が１２極に着磁されている。そして、ステータコアの突極部は９本、ポールピッチは４０°（＝３６０°／９）である。
【００５４】
また、ここで説明する従来のスピンドルモータは、３相モータ巻線を有しており、３個の突極部１５１を１組としてＵ，Ｖ，Ｗ相を構成している。
この１組の突極部１５１に対応するマグネット１０７は、４極分である。このため、マグネット１０７が１回転すると、６周期の交番磁界が発生する。
一方、本実施形態に係るスピンドルモータ２０は、図６に示すように、マグネット７の外周部にステータコア８が配置されているインナーロータタイプである。以下の説明は、マグネットがステータコアの外周に配置されるアウターロータタイプでも同様である。
【００５５】
スピンドルモータ２０は、図６に示すように、マグネット７は１４極に着磁されている。そして、ステータコア８の突極部５１は９本、ポールピッチは約３４°（＝３６０°／１０．５）である。
本実施形態のスピンドルモータ２０でも、３相モータ巻線を有しており、３個の突極部５１で１組のＵ，Ｖ，Ｗ相を構成している。
【００５６】
ここで、９ポールの突極部５１に対応するマグネット７は１４極のうち１２極である。よって、上記の１組の突極部５１に対応するマグネット７は４極分である。したがって、トルク発生のメカニズムとしては上記従来の構成と同様である。ただし、本実施形態のスピンドルモータ２０の場合には、マグネット７が１回転すると７周期の交番磁界が発生する。
【実施例】
【００５７】
ここで、上記実施形態で説明したスピンドルモータ２０に含まれるステータコア８に形成される切り欠き部５３〜５５の補極板角度θ（図４および図５参照）の設定について説明すれば以下の通りである。
単純に考えれば、記録再生ヘッドが移動できるようにステータコアの一部に空間をつくるためには、３組のＵ、Ｖ、Ｗの組のうち、１組のＵ、Ｖ、Ｗを切り欠くことが考えられる。つまり、この場合には、１２０°が切り欠き角度として設定される。
【００５８】
しかし、これでは記録再生ヘッドの移動領域として必要とされるスペースに対して、ステータコアに形成される空間の大きさが大き過ぎることになる。
このため、例えば、１２０°の半分の６０°を切り欠き角度として設定した場合を考えると、突極部５１のポール数を１８とし、マグネットの着磁極数を２４とする必要がある。計算によると、このような構成では巻線のスペースが不足するために巻線を十分に行うことができなくなって、モータのトルクが不足してしまう。
【００５９】
そこで、このような問題を解決するために、上記のように着磁数を２極増やして１４極とし、この２極分を記録再生ヘッドが移動するための空間とする。そして、トルク発生に寄与する部分としては、従来通りマグネットが１２極、突極部が９ポールとなる。換言すれば、１４極設けられたマグネットのうちの２極についてはスピンドルモータ２０のトルクの発生に寄与しない。このため、この余った２極が悪影響を与えないように補極板１１によって磁束を調整することで、スピンドルモータ２０におけるトルク変動を抑えることが可能になる。
【００６０】
これにより、約５１°の空き空間を確保することができ、巻線スペースの減少によるモータのトルクの低下も抑制することが可能になる。
なお、このような切り欠き部５３〜５５の補極板角度については、マグネット４極で突極部３ポールの基本構成を有するスピンドルモータ２０では、以下の関係式（１）に従って設定することができる。
【００６１】
θ＝３６０×２／Ｎｍ  ・・・・・（１）
ただし、マグネット７の着磁数Ｎｍ＝（４＋２ｎ）（ｎ＝１，３，５，７，・・・）
突極数Ｎｐ＝（Ｎｍ−２）×３／４
突極ピッチθ１＝（３６０−θ）／Ｎｐ
とする。
【００６２】
例えば、上記実施例の場合には、マグネット７の着磁数が１４であるからｎ＝５を関係式（１）に代入すると、
θ＝３６０×２／１４
＝５１．４３
≒５１（°）
となる。
【００６３】
また、このとき、突極部の数Ｎｐ＝（１４−２）×３／４＝９（ポール）
突極部のピッチθ１＝（３６０−５１）／９＝３４．３３（°）
である。
このように、マグネット７が４極以上の偶数である場合には、関係式（１）に従って補極板角度θを設定することで、ＨＤＤ４０に搭載された複数の記録再生ヘッド１２ａ，１２ｂの可動空間を十分に確保しつつ、切り欠き部５３〜５５のスペースを広すぎない適度な大きさに設定することができる。
【００６４】
次に、上記のように切り欠き角度が設定された切り欠き部のスペースに補極板を設けたことによる効果について説明すれば以下の通りである。
図６に示すように切り欠き部５５が形成されており、補極板１１を設けなかった場合のトルク変動をシミュレーションしたものを、図９に示している。
図９に示す結果では、トルク変動（図９の包絡線の変動に相当）が、最大で０．２ｍＮｍ程度となっていることがわかる。
【００６５】
これに対して、図６に示すように切り欠き部５５を形成し、そこに突極部５１の内周側の端部に沿って同軸に突極部５１を配置し、ステータコア８の切り欠き角度を６６°、補極板の角度を５１°に設定した場合のトルク変動のシミュレーションの結果を図１０に示している。
図１０に示す結果では、トルク変動が、最大で０．０５ｍＮｍ程度と、図９に示す結果と比較して約１／４になっていることが分かる。
【００６６】
また、図１０に示す結果から、トルク変動波形としては、歪んでいて高調波成分が増えるが変動値は理想的な正弦波トルクが発生している場合（図１１）と比較して、大きな差はなくなっている。
この結果は、ステータコア８の切り欠かれた部分（切り欠き部５５）においては、補極板１１が設けられていない構成では、マグネット７とステータコア８との間における磁束分布が他の部分に比べて歪むことに起因するものである（図６に示す例では、切り欠き部の両端のＷ相とＶ相とが大きく影響を受ける。）。
【００６７】
つまり、切り欠き部５５のスペースに補極板１１を設けることにより、磁束分布の歪み（アンバランス）を緩和してトルク変動を小さくすることができる。
なお、切り欠き部５５に設けられる補極板１１の厚み、材質、形状によって、その結果は変動するものとする。
ここで、補極板１１の角度について検討した結果について、図１７を用いて説明すれば以下の通りである。
【００６８】
ここでは、補極板１１の厚さを０．５ｍｍとし、補極（板）角度を変化させて図９〜図１１において述べているところのトルクの最大値とトルクの最小値とを検討したものであって、最大値と最小値との差がトルク変動を意味する。
結果としては、図１７に示すように、５１度付近でトルク変動が最小となり、実用上は４９〜５３度がトルクの変動が小さくなって好ましいことが分かる。
【００６９】
ただし、補極板の角度を大きくすると、補極板付きステータコアにステータコイルを巻回する際に作業性が著しく低下してしまうため、注意が必要である。
［スピンドルモータ２０の特徴］
（１）
本実施形態のスピンドルモータ２０では、図６に示すように、ステータコア８が、放射状に形成されてステータコイル９が巻回されており一部の不等角度ピッチ部を除いて均等な角度で配置された複数の突極部５１と、突極部５１の外周側に連続するように形成された環状の外周ヨーク５２と、突極部５１の不等角度ピッチ部分において外周ヨーク５２の一部が略扇形形状に切り欠かれて形成される切り欠き部５５と、切り欠き部５５（不等角度ピッチ部）において等角度ピッチ部分の突極部５１が形成された内周側の端部に沿って設けられた補極板１１と、を含むように構成されている。
【００７０】
これにより、突極部５１が不均等に配置され、外周ヨーク５２に切り欠き部５５を形成したことで生じる磁束のアンバランスを、切り欠き部５５（不等角度ピッチ部）に設けられた補極板１１によって補うことで、スピンドルモータ２０のトルク変動を最小限に抑制することができる。
また、補極板１１を、切り欠き部５５における複数の突極部５１の内周側の端部に相当する位置に配置することで、ＨＤＤ４０に搭載された記録再生ヘッド１２ａ，１２ｂの移動空間を確保することができる。
【００７１】
特に、本実施形態のスピンドルモータ２０では、記録再生ヘッド１２ａ，１２ｂの移動空間となる切り欠き部５５の部分には突極部５１が形成されていない。このため、厚み方向におけるヘッドの移動空間を大きく確保することができる。この結果、複数の記録再生ヘッドを搭載したＨＤＤに搭載された場合でも、厚み方向における大きさを１ヘッドのＨＤＤと同程度のまま（例えば、３．３ｍｍ厚）で構成することができるため、従来の複数ヘッドを搭載したＨＤＤと比較して装置の薄型化が図れる。
【００７２】
（２）
本実施形態のスピンドルモータ２０では、ステータコア８が載置されるベース５を備えており、略L字型形状の補極板１１がこのベース５の上に固定されている。
これにより、ベース５がアルミ系の非磁性材料によって形成されている場合でも、磁性材料によって補極板１１を形成してベース５に対して固定することができる。
【００７３】
また、突極部５１とは別に補極板１１を形成することで、突極部５１に対するステータコイル９の巻線時に、隣接する突極部５１と補極板１１との間隔が狭いために補極板１１が邪魔になって作業効率を低下させるといった問題は生じない。この結果、突極部５１に対するステータコイル９の巻線時における作業性を向上させて、効率よくスピンドルモータ２０の製造を行うことができる。
【００７４】
（３）
本実施形態のスピンドルモータ２０では、補極板１１を含む補極板シート２１と、突極部５１の一部が切り欠かれた突極部切り欠きシート２２と、突極部５１および外周ヨーク５２の双方の一部が切り欠かれて略C型形状の突極部および外周ヨーク切り欠きシート２３という３つの層をこの順に積層してステータコア８を構成している。
【００７５】
これにより、補極板１１を突極部５１とは別途独立して形成し、突極部５１に対してステータコイル９を巻回した後で、補極板シート２１と他の２枚のシート２２，２３とを積層することで、突極部５１と補極板１１とが隣接する場合でも、補極板１１がステータコイル９の巻線時における作業性を悪化させることはない。この結果、作業性を向上させてスピンドルモータ２０を構成することができる。
【００７６】
また、３層のシート２１〜２３のうち、真ん中に外周ヨーク５２が環状のまま残っている突極部切り欠きシート２２を介在させることで、切り欠き部５３〜５５を形成したことによるステータコア８の剛性の低下を防止して、ステータコイル９を突極部５１に巻回する際にステータコア８に歪が生じることを回避できる。
（４）
本実施形態のスピンドルモータ２０では、図２および図６に示すように、平面視において、円弧状になるように補極板１１を形成している。
【００７７】
これにより、隣接する突極部５１の内周側の端部に相当する位置に沿って補極板１１を配置することができるため、対向するマグネット７との距離が均等になることから、切り欠き部５３〜５５が形成されたことによる磁束のアンバランスを、円弧状の補極板１１によって効果的に補うことができる。
（５）
本実施形態のスピンドルモータ２０では、４極３ポールの基本構成を持つステータコア８として、以下の関係式（１）に従って切り欠き部５３〜５５の補極板角度θを設定している。
【００７８】
θ＝３６０×２／Ｎｍ・・・（１）
ただし、マグネットの着磁数Ｎｍ＝４＋２ｎ（ｎ＝１，３，５・・・）
ステータの突極数Ｎｐ＝（Ｎｍ−２）×３／４
ステータ突極ピッチθ１＝（３６０−θ）／Ｎｐ
とする。
【００７９】
これにより、上記関係式（１）に従って補極板角度θを設定することで、上記実施形態の場合には約５１°という切り欠き角度を設定することができる。この結果、６極以上のマグネット７の着磁数を有するスピンドルモータ２０において、マグネット７の着磁数に応じて、ＨＤＤ４０に搭載された複数の記録再生ヘッド１２ａ，１２ｂの可動領域を十分に確保しつつ、切り欠き部５３〜５５のスペースとして広過ぎない最適な角度を設定することができる。
【００８０】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、切り欠き部５３〜５５において、外周ヨーク５２が回転軸方向（厚み方向）において全て切り欠かれている例を挙げて説明した。しかし、本発明はこれに限定されるものではない。
【００８１】
例えば、外周ヨーク５２が回転軸方向において一部のみが切り欠かれている構成であってもよい。
ただし、上記実施形態のように、回転軸方向において外周ヨークを全て切り欠いた構成とすることは、記録再生ヘッドの可動範囲、特に回転軸方向における空間を十分に確保するという点でより好ましい。
【００８２】
（Ｂ）
上記実施形態では、補極板１１、突極部５１および外周ヨーク５２を含む３層を積層してステータコア８を構成した例を挙げて説明した。しかし、本発明はこれに限定されるものではない。
例えば、図１２に示すように、３層のうちの真ん中の層に配置される第２層を除く２つの層（補極板シート２１、突極部および外周ヨーク切り欠きシート２３）によってステータコア５８を構成してもよい。
【００８３】
このステータコア５８では、突極部および外周ヨーク切り欠きシート２３を、その形状に併せて複数枚打ち抜いて形成した後、その複数枚を同心になるように積層して形成する。そして、この積層品（突極部および外周ヨーク切り欠きシート２３）を絶縁塗装（粉体塗装、スプレー塗装、電着塗装）した後、ステータコイルの巻線を行う。なお、突極部および外周ヨーク切り欠きシート２３の積層数が多い場合には、巻線時にチャッキングしてもステータコア５８の変形は比較的少なく抑えることができる。そして、この巻線したステータコアに補極板シートを接着等で同心になるように固定してステータコア５８が形成される。
【００８４】
この場合でも、複数の記録再生ヘッドを搭載したＨＤＤに搭載された場合でも、薄型化・小型化が可能なスピンドルモータを提供できるという上記と同様の効果を得ることができる。
ただし、上記実施形態のように、３つの層の真ん中に積層される第２層に外周部が円形でつながっている層を配置することは、突極部および外周ヨーク切り欠き部の積層数が少ない場合でも、切り欠き部が形成された突極部に対してステータコイルを巻回する際におけるステータコアの歪の発生を最小限に抑えられる点でより好ましい。
【００８５】
なお、本実施形態でも、補極板と隣接している突極部とのスロット隙間が互いに隣接する突極部同士のスロット間隔よりも小さくなっているが、補極板と隣接する突極部の巻線については、巻線ノズル動作軌跡や巻線スピードを考慮すれば補極板シートと突極部および外周ヨーク切り欠きシートを同心になるように積層してから巻線を行ってもよい。
（Ｃ）
上記実施形態では、補極板１１を、突極部５１および外周ヨーク５２とは別の層（補極板シート２１）において異なる材料で形成したステータコア８を例として挙げて説明した。しかし、本発明はこれに限定されるものではない。
【００８６】
例えば、図１３に示すように、突極部および外周ヨーク５２を含む補極板シート２４の中に補極板６１を形成し、突極部および外周ヨーク切り欠きシート２３とともに積層したステータコア６８であってもよい。
この場合には、突極部および外周ヨークと同じ材料によって補極板を形成することができるため、別々に形成する場合と比較してコストダウンが図れる。
【００８７】
なお、本実施形態のステータコア６８でも、補極板と隣接している突極部とのスロット隙間が互いに隣接する突極部同士のスロット間隔よりも小さくなっているが、補極板と隣接する突極部の巻線については、巻線ノズル動作軌跡や巻線スピードを考慮すれば補極板シートと突極部および外周ヨーク切り欠きシートを同心になるように積層してから巻線を行ってもよい。
【００８８】
（Ｄ）
上記実施形態では、補極板１１を、突極部５１および外周ヨーク５２とは別の層（補極板シート２１）において異なる材料で形成したステータコア８を例として挙げて説明した。しかし、本発明はこれに限定されるものではない。
例えば、図１４（ａ）および図１４（ｂ）に示すように、ベース７５の一部を切り起こすようにして補極板７１を形成したステータコア７８であってもよい。
【００８９】
この場合には、ベース７５上に、突極部および外周ヨーク切り欠きシート２３を積層している。あるいは、突極部切り欠きシート２２、突極部および外周ヨーク切り欠きシート２３をベース７５上に積層してもよい。
ここでは、補極板７１は、ベース７５を折り曲げて構成している。そして、ベース７５は、突極部の内周側の端部に沿って同心円になるように補極板７１が立ち上がっている。突極部および外周ヨーク切り欠きシート２３は、図１４（ａ）に示す積層状態において最上層に積層されており、内周側では突極部５１の一部、外周部分では環状の一部が切り欠かれて略Ｃ型形状となっている。
【００９０】
このようなステータコア７８は、突極部および外周ヨーク切り欠きシート２３をその大きさに合わせて複数枚打ち抜き、複数枚を同心になるように積層する。そして、その積層品を絶縁塗装（粉体塗装、スプレー塗装、電着塗装）して巻線を行う。
上記の構成によれば、補極板１１をベース５とともに一体成形することができるため、生産コストを低減してコストダウンが図れる。
【００９１】
（Ｅ）
上記実施形態では、補極板１１を、突極部５１および外周ヨーク５２とは別の層（補極板シート２１）において異なる材料で形成したステータコア８を例として挙げて説明した。しかし、本発明はこれに限定されるものではない。
例えば、図１５に示すように、ステータコア（コア）８８の上部を覆うように取り付けられている磁気シールド板８４の一部を切り下げて補極板８１を形成してもよい。この場合には、磁気シールド板とは別部材として補極板を形成する場合と比較してコストダウンが図れる。
【００９２】
（Ｆ）
上記実施形態では、補極板１１を、突極部５１および外周ヨーク５２とは別の層（補極板シート２１）において異なる材料で形成したステータコア８を例として挙げて説明した。しかし、本発明はこれに限定されるものではない。
例えば、補極板を、スピンドルモータに含まれる他の磁性体とは独立するように形成、配置してもよい。この場合には、例えば、図１８に示すように、ステータコア８の部分が樹脂８０によってモールドされたモールドモータ構造を採用することにより、他の磁性体から独立して構成することができる。この場合には、スピンドルモータに含まれるモータ磁気回路（図示せず）の影響を受けることなく、補極板に含まれる磁性体を機能させることができる
（Ｇ）
上記実施形態では、４極３ポールの基本構成を有するステータコア８に関して、上述した関係式（１）に従って切り欠き部５３〜５５の切り欠き角度を設定する例を挙げて説明した。しかし、本発明はこれに限定されるものではない。
【００９３】
例えば、２極３ポールの基本構成を有するステータコアの場合には、下記の関係式（２）に従って切り欠き部の切り欠き角度を設定することもできる。
θ＝３６０／Ｎｍ×２  ・・・・・（２）
ただし、マグネットの着磁数Ｎｍ＝４＋２ｎ（ｎ＝０，１，２、３・・・）
ステータの突極数Ｎｐ＝（Ｎｍ−２）×３／２
ステータ突極ピッチθ１＝（３６０−θ）／Ｎｐ
この場合でも、上記関係式（２）に従って補極板角度θを設定することで、４極以上の偶数のマグネット７の着磁数を有するスピンドルモータ２０において、マグネット７の着磁数に応じて、ＨＤＤ４０に搭載された複数の記録再生ヘッド１２ａ，１２ｂの可動領域を十分に確保しつつ、切り欠き部５３〜５５のスペースとして広過ぎない最適な角度を設定することができる。
【００９４】
（Ｈ）
上記実施形態では、シャフト１を中心とする補極板１１の形成角度（切り欠き角度）として５１°を例として挙げて説明した。しかし、本発明はこれに限定されるものではない。
５１°で設定した場合には、補極板１１の両側のスロット間隔が狭くなり、ステータコイル９の巻線時における作業性が低下することから、巻線時における作業性の向上とトルク変動のバランスを考慮して、例えば、４９°〜５３°の範囲内に収まるように変更してもよい。
【００９５】
この場合、スロット幅は切り欠き部以外の所では、０．９８〜１．０２ｍｍであるのに対し、切り欠き部で補極板の両側のスロット幅は、０．５８〜０．４２ｍｍとなる。
（Ｉ）
上記実施形態では、マグネット７が１４極に着磁されており、ステータコア８の突極部５１が９ポールであるスピンドルモータ２０を例として挙げて説明した。しかし、本発明はこれに限定されるものではない。
【００９６】
例えば、マグネットの着磁数に関しては６極以上の偶数であれば、１４極に限定されるものではない。
（Ｊ）
上記実施形態では、補極板シート２１については、ステータコイル９の巻線を行った後で積層する例を挙げて説明した。しかし、本発明はこれに限定されるものではない。
【００９７】
例えば、補極板と隣接する突極の巻線については、巻線ノズル動作軌跡や巻線スピードを考慮すれば、３枚の各シートを同心になるように積層した後で巻線を行ってもよい。
ただし、補極板１１と隣接している突極部５１との隙間（スロット隙間）が突極部５１同士の間隔（スロット間隔）よりも小さい場合でも、巻線時における作業効率を低下させることはないという点で、上記実施形態のような組み立て手順を採用することがより好ましい。
【００９８】
（Ｋ）
上記実施形態では、マグネット７の外周部にステータコア８が配置されたインナーロータタイプのスピンドルモータ２０に対して本発明を適用した例を挙げて説明した。しかし、本発明はこれに限定されるものではない。
例えば、マグネットがステータコアの外周に配置されるアウターロータタイプのスピンドルモータに対して本発明を適用してもよい。
【００９９】
この場合でも、上記と同様の効果を得ることができる。
（Ｌ）
上記実施形態では、シャフト（軸）固定型のスピンドルモータ２０に対して本発明を適用した例を挙げて説明した。しかし、本発明はこれに限定されるものではない。
例えば、軸回転型のスピンドルモータに対しても当然に適用可能である。この場合でも、上記実施形態と同様に、複数ヘッドを有する各装置に搭載される場合でも薄型化・小型化が図れるという効果を奏する。
【０１００】
（Ｍ）
上記実施形態では、直径が０．８５インチのディスク１３を搭載したＨＤＤに対して本発明を適用した例を挙げて説明した。しかし、本発明はこれに限定されるものではない。
例えば、直径が１．０インチあるいは１．８インチのディスク等、他のサイズのディスクを搭載したＨＤＤに対して本発明を適用することも当然に可能である。
【０１０１】
（Ｎ）
上記実施形態では、本発明の一実施形態に係るスピンドルモータ２０を、ＨＤＤ４０に対して搭載した例を挙げて説明した。しかし、本発明はこれに限定されるものではない。
例えば、搭載する装置としては、ＨＤＤ以外にも、光磁気ディスク装置、光ディスク装置、フロッピーディスク装置等に対して搭載することが可能である。同時に、各装置に搭載される記録媒体についても、ハードディスク（ＨＤ）に限定されるものではなく、他の光記録媒体や光磁気記録媒体、磁気記録媒体等を用いることもできる。
【０１０２】
これらのいずれの記録媒体を搭載した各装置に対して本発明のスピンドルモータを搭載した場合でも、複数ヘッドを有する装置の薄型化・小型化が図れるという上記と同様の効果を得ることができる。
【産業上の利用可能性】
【０１０３】
本発明のスピンドルモータは、例えば、複数のヘッドを搭載したＨＤＤ等に搭載される場合でも装置の薄型化・小型化を図ることができるという効果を奏することから、ＨＤＤや光磁気ディスク装置、光ディスク装置、フロッピーディスク装置等の各装置に搭載されるスピンドルモータに対して広く適用可能である。
【図面の簡単な説明】
【０１０４】
【図１】本発明の一実施形態に係るスピンドルモータを搭載したＨＤＤの内部構造を示す断面図。
【図２】図１のスピンドルモータに含まれるステータコアを示す平面図。
【図３】図２のステータコアを構成する補極板シートを示す平面図。
【図４】図２のステータコアを構成する突極部切り欠きシートを示す平面図。
【図５】図２のステータコアを構成する突極部および外周ヨーク切り欠きシートを示す平面図。
【図６】図１のＨＤＤの内部構成のうち、補極板周辺の構成を示す拡大図。
【図７】図１のＨＤＤの内部構成のうち、補極板周辺以外の構成を示す拡大図。
【図８】図２のステータコアにおける切り欠き部とマグネットとの位置関係を示す平面図。
【図９】本発明に係る一実施例の実験結果を示すグラフ。
【図１０】本発明に係る一実施例に対する比較例の実験結果を示すグラフ。
【図１１】正弦波トルクが発生したトルク変動波形を示すグラフ。
【図１２】本発明の他の実施形態に係るスピンドルモータに含まれるステータコアの構成を示す平面図。
【図１３】本発明のさらに他の実施形態に係るスピンドルモータに含まれるステータコアの構成を示す平面図。
【図１４】（ａ），（ｂ）は、本発明のさらに他の実施形態に係るスピンドルモータに含まれるステータコアの構成を示す平面図。
【図１５】本発明のさらに他の実施形態に係るスピンドルモータに含まれるステータコアの構成を示す平面図。
【図１６】従来のスピンドルモータに搭載されるステータコアの構成を示す平面図。
【図１７】本発明の一実施例に係る補極板角度とトルク変動の大きさとの関係を示すグラフ。
【図１８】本発明のさらに他の実施形態に係るモールドモータタイプのスピンドルモータの構成を示す断面図。
【符号の説明】
【０１０５】
１      シャフト
２      スリーブ
３      シールプレート
４      スラストフランジ
５      ベース（ベース部）
６      ハブ
７      マグネット（磁石）
８      ステータコア
９      ステータコイル
１０      抜け止め板
１１      補極板
１２      ヘッド部
１２ａ    記録再生ヘッド
１２ｂ    記録再生ヘッド
１３      ディスク（記録媒体）
１４      磁気シールド板
２０      スピンドルモータ
２１      補極板シート（第３層）
２２      突極部切り欠きシート（第２層）
２３      突極部および外周ヨーク切り欠きシート（第１層）
２４      補極板シート
３０      軸受部
４０      ＨＤＤ（ハードディスク装置）
５１      突極部
５２      外周ヨーク（環状基部）
５３      切り欠き部（不等角度ピッチ部）
５４      切り欠き部（不等角度ピッチ部）
５５      切り欠き部（不等角度ピッチ部）
５８      ステータコア
６１      補極板
６８      ステータコア
７１      補極板
７５      ベース
７８      ステータコア
８１      補極板
８４      磁気シールド板
８８      ステータコア
θ      補極板角度
α      等角度ピッチ
β      不等角度ピッチ
【図１】
2007124733.tif 000003
【図２】
2007124733.tif 000004
【図３】
2007124733.tif 000005
【図４】
2007124733.tif 000006
【図５】
2007124733.tif 000007
【図６】
2007124733.tif 000008
【図７】
2007124733.tif 000009
【図８】
2007124733.tif 000010
【図９】
2007124733.tif 000011
【図１０】
2007124733.tif 000012
【図１１】
2007124733.tif 000013
【図１２】
2007124733.tif 000014
【図１３】
2007124733.tif 000015
【図１４】
2007124733.tif 000016
【図１５】
2007124733.tif 000017
【図１６】
2007124733.tif 000018
【図１７】
2007124733.tif 000019
【図１８】
2007124733.tif 000020